(57)【要約】【課題】収納袋製造時の接着固定方法で接着部に収納物が触れ耐久性が低下する点であり、接着部の耐久性を向上させる。【解決手段】四角形のシート状材料を、第一の辺に対向する第四の辺より第一の辺に近い第一の辺に略平行に谷折りし、第一の辺に略直角な第二の辺に対向する第三の辺よりも第二の辺に近い第二の辺に略平行に谷折りし、第一の辺に略直角な第三の辺に対向する第二の辺より第三の辺に近い第三の辺に略平行な線で谷折りし、第一の辺に対向する第四の辺より第四の辺に近い第四の辺に略平行に谷折りし、第一の辺側の端と第四の辺側の端を合わせるように谷折りし、第四の辺に略平行に谷折した部分の第二の辺側の端を、第二の辺に略平行に谷折りした辺と第一の辺によって形成される折り曲げ部分に差し込み、第四の辺に略平行に谷折した部分の第三の辺側の端を、第三の辺に略平行に谷折りした辺と第一の辺によって形成される折り曲げ部分に差し込む。【選択図】図1
2019188690.tif 000002
【特許請求の範囲】
【請求項１】
人力によって折り曲げ可能な薄く平らな四角形のシート状材料を用いた一辺が開口解放された収納袋の製造方法であって、
前記シート状材料を当該収納袋の内側となる裏側から見て、第一の辺に対向する第四の辺よりも前記第一の辺に近い前記第一の辺に略平行な線（21）で谷折りに折り曲げ、
前記第一の辺に略直角な第二の辺に対向する第三の辺よりも前記第二の辺に近い前記第二の辺に略平行な線（23）で谷折りに折り曲げ、
前記第一の辺に略直角な第三の辺に対向する前記第二の辺よりも前記第三の辺に近い前記第三の辺に略平行な線（24）で谷折りに折り曲げ、
前記第一の辺に対向する第四の辺によりも前記第四の辺に近い前記第四の辺に略平行な線（22）で谷折りに折り曲げ、
前記第一の辺側の端と前記第四の辺側の端を合わせるように中心の線（20）で谷折りに折り曲げ、
前記第四の辺に略平行に谷折に折り曲げた部分の前記第二の辺側の端を、前記第二の辺に略平行に谷折りに折り曲げた辺と前記第一の辺によって形成される折り曲げ部分に差し込み、
前記第四の辺に略平行に谷折に折り曲げた部分の前記第三の辺側の端を、前記第三の辺に略平行に谷折りに折り曲げた辺と前記第一の辺によって形成される折り曲げ部分に差し込む収納袋の製造方法。
【請求項２】
前記第一乃至第四の辺に略平行に谷折りに折り曲げる工程は、当該収納袋に収納される収納物よりも前記第一乃至第四の辺それぞれが大きく、前記シート状材料よりも厚さのある補助部材を使って折り曲げる請求項１記載の収納袋の製造方法。
【請求項３】
前記シート状材料を当該収納袋の内側となる裏側から見て、前記第一の辺に略平行に谷折りに折り曲げられた部位には、前記第一の辺のエッジに沿って左右の端から端まで両面接着性を有する薄膜状の接着部材の片面の粘着部を貼り付け、
前記接着部材の粘着防止用の薄膜状の部材を剥がし前記第一の辺に略平行に谷折りに折り曲げられた部位を対応する前記シート材料の部位に貼り付け、
前記第四の辺に略平行に谷折りに折り曲げられた部位には、前記第四の辺のエッジに沿って左右の端からそれぞれ前記第二及び、前記第三の辺に略平行に折り曲げた折り曲げ部の折り曲げ量よりも大きい距離の余白部を形成して両面接着性を有する薄膜状の接着部材の片面の粘着部を貼り付け、
前記第二及び、前記第三の辺にそれぞれ略平行に谷折りに折り曲げられた部位の前記第四の辺側半分の領域に両面接着性を有する薄膜状の接着部材の片面の粘着部を貼り付け、
前記第四の辺に略平行に谷折りに折り曲げた部位に貼り付けた両面接着性を有する薄膜状の接着部材の粘着防止用の薄膜状の部材を剥がし前記第四の辺に略平行に谷折りに折り曲げられた部位を対応する材料の部位に貼り付け、
前記第二及び、前記第三の辺に略平行に谷折りに折り曲げた部位の前記第四の辺側半分の領域に貼り付けた薄膜状の接着部材の粘着防止用の薄膜状の部材を剥がし対応する半分の部分に貼り付ける工程ことを、更に含む請求項１又は２記載の収納袋の製造方法。
【発明の詳細な説明】
【技術分野】
【０００１】
本発明は、走査位置の観測確認が容易なハンドスキャナに関するものである。
【背景技術】
【０００２】
一般的に、財布、小銭入れ、ペンケース、ノートパソコン入れ、パスポート入れ等は皮革、合成皮革によって製造されている。近年、それらの軽量化、最適化が望まれ、和紙や防水加工のされた紙、皮革の表面形状と同様の表面形状を有した樹脂が貼り付けられた紙等、皮革や合成皮革よりも厚さが薄く軽量な材料での製造方法が注目されている。
【０００３】
また、環境保護の観点から資源の再利用が盛んになってきており、手提げ袋やコーヒー豆の袋から財布、小銭入れ、ペンケース、ノートパソコン入れ、パスポート入れ等の実用的な小物を作るハンドメイドが普及し始めている。
四角形のシート状材料としては、紙、樹脂、金属、木材等がある。
【先行技術文献】
【特許文献】
【０００４】
【特許文献１】特開2007-236845号公報
【０００５】
【特許文献２】特開2010-259763号公報
【発明の概要】
【発明が解決しようとする課題】
【０００６】
解決しようとしている問題点は、収納袋製造時の接着固定方法で接着部に収納物が触れる事で接着部の耐久性が低下する点であり、接着部の耐久性を向上させることを課題とする。
【課題を解決するための手段】
【０００７】
四角形のシート状材料を当該収納袋の内側となる裏側から見て、第一の辺に対向する第四の辺よりも第一の辺に近い第一の辺に略平行な線で谷折りに折り曲げ、第一の辺に略直角な第二の辺に対向する第三の辺よりも第二の辺に近い第二の辺に略平行な線で谷折りに折り曲げ、第一の辺に略直角な第三の辺に対向する第二の辺よりも第三の辺に近い第三の辺に略平行な線で谷折りに折り曲げ、第一の辺に対向する第四の辺によりも第四の辺に近い第四の辺に略平行な線で谷折りに折り曲げ、第一の辺側の端と第四の辺側の端を合わせるように中心の線で谷折りに折り曲げ、第四の辺に略平行に谷折に折り曲げた部分の第二の辺側の端を、第二の辺に略平行に谷折りに折り曲げた辺と第一の辺によって形成される折り曲げ部分に差し込み、第四の辺に略平行に谷折に折り曲げた部分の第三の辺側の端を、第三の辺に略平行に谷折りに折り曲げた辺と第一の辺によって形成される折り曲げ部分に差し込む事で予め接着固定用部分を作成し、その接着固定部分が折り曲げ部で固定され、かつ接着部に直接収納物が触れないように製造することを最も主要な特徴とする。
【発明の効果】
【０００８】
本発明の収納袋の製造方法は、直接収納物が接着部に触れないので、接着部の耐久性を向上すると言う利点がある。
【図面の簡単な説明】
【０００９】
【図１】本製造方法で製造した収納袋を有する２つ折り財布（実施例１）
【図２】中央部で折った２つ折り財布の図
【図３】収納袋製造時に使用する補助部材を説明する図
【図４】収納袋を製造する為の材料の展開図
【図５】材料の重なりの順番を説明する図
【図６】折り曲げ部の結合方法を説明する図
【図７】貼り付け方法の説明図１
【図８】貼り付け方法の説明図２
【図９】収納袋を作成するのに使用する手提げ袋の図
【図１０】使用する手提げ袋の底面の図
【図１１】手提げ袋の糊付け部を剥がし、取っ手を除去した図
【図１２】コーヒー豆の袋を説明する図
【図１３】コーヒー豆の袋の糊付け部を剥して広げた図
【図１４】収納袋の展開図と薄膜状の部材を貼り付けた状態を示す図
【図１５】薄膜状の部材を貼り付けた収納袋の完成図
【発明を実施するための形態】
【００１０】
収納袋の接着部に収納物が直接触れないで耐久性を向上させると言う目的を、材料の重なりの順序、挟み込む方法を工夫することで材料を追加する事なく実現した。
【実施例１】
【００１１】
図１は、本製造方法で製造した収納袋を有する２つ折り財布の実施例の全体図である。
本製造方法で製造した収納袋がお札入れ部10になる。３枚のカードを収納可能なカード入れ部11が２カ所あり、最大６枚のカードを収納可能である。また、それぞれのカード入れ部11は、中心部の内側側面から薄いシート状の物を収納可能なレシート入れ12を有している。図２は、図１の状態から中央部を折った状態にした２つ折り財布の図である。
【００１２】
図3は、本実施例の紙幣等の長方形の紙等を収納する為の収納袋を作成する時に使用する補助部材13である。
【００１３】
先ず、長方形の袋状収納部の作成方法を説明する。図4は、長方形の収納袋を形成する際に用いる材料の展開図である。
【００１４】
１点鎖線20に示すように、四角形のシート状材料を上辺と下辺が重なるように２つ折に谷折りにする。四角形のシート状材料は、力によって折り曲げ可能な薄く平らなシート状材料である。四角形のシート状材料としては、例えば、紙、樹脂、金属、木材等を用いることができる。
【００１５】
次に、２つ折にして谷状になった部分に、図3の袋状収納部を作成する為の補助部材13を合わせる。合わせた状態で、四角形のシート状材料を補助部材13に巻き付けるように1点鎖線21に示すように折る。次に、補助部材13を四角形のシート状材料の中心部、左右の余白部分が均等になる位置に配置し、向かって左側の辺を１点鎖線22に示すように四角形の補助部材13に巻き付ける様に折り曲げる。次に、同様に向かって右側の辺を1点鎖線23に示すように四角形の補助部材13に巻き付ける様に折り曲げる。次に、下側の辺を1点鎖線24に示すように四角形の補助部材13に巻き付けるように折り曲げる。
【００１６】
図5は、本実施例の紙幣等の長方形の紙等を収納する為の収納袋の材料の重なりの順番を説明する為の図である。図5に示すように材料部30の上に材料の上辺を折り曲げた材料31が重なる。次に、左右の辺を折り曲げた材料部32が重なり、最後に材料の下辺を折り曲げた材料部33が重なる。
【００１７】
上記状態で図5に示した１点鎖線20に従って折り曲げると、折り曲げ部の結合方法を説明する図6の様な構造になる。
40と42によって形成された折り曲げ部分に、41と43で形成させた折り曲げ部分を差し込む。
【００１８】
反対側の辺も同様に40と42によって形成された折り曲げ部分に、41と43で形成させた折り曲げ部分を差し込む。
その結果、図６に示すような、四角形の袋状収納部が形成される。
【００１９】
更に図７、図８を用いて四角形の袋状収納部の接着方法を説明する。
上辺は、上辺のエッジに沿って右端から左端まで薄膜状で両面接着性のある接着部材60を貼り付け、１点鎖線21に沿って折り曲げ貼り付けを行う。
【００２０】
次に、左右の辺を夫々、１点鎖線23、24に従って折り曲げる。
次に、下辺は、下辺のエッジに沿って左右の辺から薄膜状で両面接着性のある接着部材の幅より大きい程度の距離をおいて両面接着性のある部材61を貼り付ける。
【００２１】
左右の辺に関しては、図8に示すように灰色塗りつぶし部２ヶ所に薄膜状で両面接着性のある接着部材62、63を貼り付ける。
その後、下辺を１点鎖線22に従って折り曲げ、貼り付けを行う。最後に図8に示した左右両辺を対応する上部と接着する事で左右両端が接着された四角形の袋状収納部が完成する。本実施例の製造方法によって耐久性の向上した収納袋を製造可能となる。更に、折り曲げと一緒に、薄膜状で両面接着性のある接着部材を貼り付ける事で製造時間の短縮を測れるという利点もある。
【００２２】
次に、お店での商品購入時等に貰える手提げ袋を使って収納袋を作成する際の材料としての切り出し方法を実施例２で説明する。図９は、商品購入時等に貰える手提げ袋の全体図である。図9に示す用にショップや企業が自店舗、自社のPRの為に様々なデザインが施された手提げ袋を提供していてその数は膨大である。
【００２３】
この手提げ袋を袋状の形状から組み立て前の元の形状に戻す作業をする。図10に手提げ袋の底面様子を示す。底面は、図の様に糊付けされているのだが、この糊付け部分を剥がして筒状にする。次に、図9示す後面の糊付け部分を剥がして開いた状態にする。次に、これも糊付けされている２個の取っ手51を取り去る。
【００２４】
その結果、図11の様な四角形の状態になる。表面52の両サイドの折り目の線55に平行に、使用する薄膜状で両面接着性のある接着部材の幅よりも大きい距離をおいてカットする。このカットした部分で収納袋を製造する。
【実施例２】
【００２５】
本実施例２は、ショップや企業が商品販売時に商品を入れるのに提供している手提げ袋を用いて収納袋を製造した。通常手提げ袋は、商品を持ち帰った後は、そのまま廃棄したり、再び使用する事なく保管されているのが一般的である。本実施例２の様に実用的な小物に作り変える事で日常生活での使用も多くなりショップや企業としても再びPR効果が有り、そのPRの期間が長くなると言うメリットがある。また、本来廃棄するものを再び利用すると言う意味でリサイクルの観点からも利点がある。
【実施例３】
【００２６】
次に、コーヒー豆の袋を使って収納袋を作成する際に材料としての切り出し方法を実施例３で説明する。コーヒー豆の袋は、通常の手提げ袋と違って縦に細長い特徴的がある。
その代表的な例を図12に示す。また、袋には防湿目的と思われる透明なポリエチレン系の薄膜が貼られていたり、アルミ等の金属がコーティングされている。更に、袋の口を止める為に、紙に挟まれた形の金属プレートが付属する。コーヒー豆の袋も手提げ袋と同様、後面と底面に糊付け部がある。手提げ袋の場合と同様に糊付け部を剥がし四角形に開いた状態にすると図14の様になる。
図13の点線で示す部分をカットする。このカットした部分を材料として収納袋を作成する。
【００２７】
先にも説明した様に、コーヒー袋には、防湿目的とした透明なポリエチレン系の薄膜が貼られていたりアルミ等の金属がコーティングされたりしていて、材料として用いる事で収納袋に防水性を得ることができ使用時のメリットが大きい。
また、袋の口を止める為の紙に挟まれた金属プレートは、収納袋を真ん中で半分に折った状態で使った時に折った両サイドを押さえつける様に取り付ける事で開いてしまうのを固定することができる利点がある。
【実施例４】
【００２８】
収納袋製造時に合わせて薄膜状接着部材を貼り付ける方法を実施例４で説明する。本実施例４では、３種類の薄膜状接着部材を収納袋を製造する材料の展開図に貼り付けた状態が図14である。尚、図14は、材料を表面から見た状態で、点線は山折の折れ線を表す。
山折の折れ線、図14中の点線20、22、23、24から若干はみ出した状態で薄膜状粘着部材を貼り付ける。更に、薄膜状粘着部材同士は、隙間なく或いは若干重なる様に材料に貼り付け、材料の下地が見えない様にする。本実施例では、薄膜状接着部材を用いたが、その数は、３種類に限定するものではなく、１種類でも２種類でも４種類以上でも良い。
【００２９】
薄膜状接着部材を貼り付ける事で、収納袋の厚みが増して耐久性が向上する利点がある。更に、薄膜状接着部材がデザイン性を有した物であれば、様々な模様を組み合わせて使う事が可能となり装飾性が向上し作る人の好みの収納袋を製造可能な利点がある。
【産業上の利用可能性】
【００３０】
収納袋製造時に予め接着固定用部分を作成し、その接着固定部分が折り曲げ部で固定され、かつ接着部に直接収納物が触れないように製造することで、直接収納物が接着部に触れないので、接着部の耐久性を向上すると言う利点があるり、収納袋を有する財布、小銭入れ、ペンケース、ノート入れ、携帯ケース、ノートパソコン入れ等様々な収納可能物の製造方法に適用できる。
【符号の説明】
【００３１】
10    お札入れ部
11    カード入れ部
12    レシート入れ部
13    補助部材
20、21、22、23、24    谷折り線
30、31、32、33    面の重なりを説明する為の各面
40、41、42、43    折り曲げ部分の組み込み方を説明する為の各面
50    糊付け部
51    取っ手
52    表面
53    後面
54    切り取り線
55    折り曲げ線
60、61、62、63    薄膜状接着部材
【図１】
2019188690.tif 000003
【図２】
2019188690.tif 000004
【図３】
2019188690.tif 000005
【図４】
2019188690.tif 000006
【図５】
2019188690.tif 000007
【図６】
2019188690.tif 000008
【図７】
2019188690.tif 000009
【図８】
2019188690.tif 000010
【図９】
2019188690.tif 000011
【図１０】
2019188690.tif 000012
【図１１】
2019188690.tif 000013
【図１２】
2019188690.tif 000014
【図１３】
2019188690.tif 000015
【図１４】
2019188690.tif 000016
【図１５】
2019188690.tif 000017